(57)【要約】【課題】レストフィンガー操作と左右同時押し操作との区別ができ、レストフィンガー機能と左右同時押し機能の両方を搭載することができるボタン兼用型タッチパッド入力装置を提供すること。【解決手段】操作板４と、センサ基板２と、制御手段１６と、支持手段と、タクティールスイッチ５とを備え、制御手段１６は、１本目の指の近接操作を検出してから２本目以降の指の近接操作を検出するまでの時間が所定時間を越えているときに押下操作を検出したらレストフィンガー操作に割り当てられているイベントＡを実行し、１本目の指の近接操作を検出してから２本目以降の指の近接操作を検出するまでの時間が所定時間内であるときに押下操作を検出したら左右同時押し操作に割り当てられているイベントＢを実行する。【選択図】図４
2015011610.tif 000002
【特許請求の範囲】
【請求項１】
指により近接操作および押下操作が行なわれる操作板と、
前記指の前記近接操作に応じて検出信号を発生する検出手段と、
前記検出信号に基づき前記指が近接した位置を算出する制御手段と、
前記押下操作により前記操作板が押下げられるように前記操作板を支持する支持手段と、
前記押下操作を検出するスイッチ手段とを備えたボタン兼用型タッチパッド入力装置であって、
前記制御手段は、１本目の指の近接操作を検出してから２本目以降の指の近接操作を検出するまでの時間が所定時間を越えているときに前記押下操作を検出したら第１イベントを実行し、前記１本目の指の近接操作を検出してから前記２本目以降の指の前記近接操作を検出するまでの時間が前記所定時間内であるときに前記押下操作を検出したら第２イベントを実行することを特徴とするボタン兼用型タッチパッド入力装置。
【請求項２】
前記制御手段は、１本目の指が前記操作板の一の所定領域に位置し２本目以降の指が前記操作板の他の所定領域に位置するという条件を満たすときに前記押下操作を検出したら前記第２イベントを実行し、前記条件を満たさないときに前記押下操作を検出したら第３イベントを実行することを特徴とする請求項１記載のボタン兼用型タッチパッド入力装置。
【発明の詳細な説明】
【技術分野】
【０００１】
本発明は、ボタン兼用型タッチパッド入力装置に関するものである。
【背景技術】
【０００２】
特許文献１に、左右に分かれていない単一のボタンを有するものにおいて左右同時押しに対して左押しや右押しとは異なるイベントを割り当てる左右同時押し機能が搭載されたマウスが開示されている。特許文献２に、ボタン兼用型タッチパッド入力装置が開示されており、マウスにおいて使われていた左右同時押し機能をこのようなボタン兼用型タッチパッドに流用することが考えられる。
【０００３】
ところで、ボタン兼用型タッチパッドでは、タッチパッド上に１本目の指（親指等）を置いて手の支えとして休ませた状態で他の位置に２本目以降の指（人差指等）を置いて押圧操作したときは、１本目の指（親指等）は存在しないものとして扱う、等の機能がある。ここで、このような操作をレストフィンガー操作と称し、このような機能をレストフィンガー機能と称することとする。
【０００４】
しかし、左右同時押し操作とレストフィンガー操作は、複数本の指を置いた状態で押圧操作をするという点では同じ操作であり、区別することが難しく、左右同時押し機能とレストフィンガー機能の両方を搭載することができないという問題点があった。
【先行技術文献】
【特許文献】
【０００５】
【特許文献１】特表２００８−５４２９１５号公報
【特許文献２】特表２０１２−５０４２７５号公報
【発明の概要】
【発明が解決しようとする課題】
【０００６】
本発明は、レストフィンガー操作と左右同時押し操作を区別することができ、レストフィンガー機能と左右同時押し機能の両方を搭載することができるボタン兼用型タッチパッド入力装置を提供することを目的としてなされたものである。
【課題を解決するための手段】
【０００７】
請求項１に記載の電子機器においては、指により近接操作および押下操作が行なわれる操作板と、前記指の前記近接操作に応じて検出信号を発生する検出手段と、前記検出信号に基づき前記指が近接した位置を算出する制御手段と、前記押下操作により前記操作板が押下げられるように前記操作板を支持する支持手段と、前記押下操作を検出するスイッチ手段とを備え、前記制御手段は、１本目の指の近接操作を検出してから２本目以降の指の近接操作を検出するまでの時間が所定時間を越えているときに前記押下操作を検出したら第１イベントを実行し、前記１本目の指の前記近接操作を検出してから前記２本目以降の指の近接操作を検出するまでの時間が前記所定時間内であるときに前記押下操作を検出したら第２イベントを実行する、という特徴を有する。
【０００８】
請求項１に記載のボタン兼用型タッチパッド入力装置によれば、レストフィンガー操作と左右同時押し操作を区別することができ、レストフィンガー機能と左右同時押し機能の両方を搭載することができる。
【０００９】
請求項２に記載の電子機器においては、前記制御手段は、１本目の指が前記操作板の一の所定領域に位置し２本目以降の指が前記操作板の他の所定領域に位置するという条件を満たすときに前記押下操作を検出したら前記第２イベントを実行し、前記条件を満たさないときに前記押下操作を検出したら第３イベントを実行する、という特徴を有する。
【００１０】
請求項２に記載のボタン兼用型タッチパッド入力装置によれば、左右同時押し操作と２フィンガークリック操作を区別することができ、左右同時押し機能と２フィンガークリック機能の両方を搭載することができる。
【発明の効果】
【００１１】
本発明によれば、左右同時押し操作とレストフィンガー操作を区別することができ、左右同時押し機能とレストフィンガー機能の両方を搭載することができる。
【図面の簡単な説明】
【００１２】
【図１】第１実施形態のボタン兼用型タッチパッド入力装置の断面図である。
【図２】第１実施形態のボタン兼用型タッチパッド入力装置のシステムブロック図である。
【図３】第１実施形態における左右同時押し操作を示す図である。
【図４】第１実施形態におけるレストフィンガー操作を示す図である。
【図５】第１実施形態におけるフローチャートを示す図である。
【図６】第２実施形態における左右同時押し操作を示す図である。
【図７】第２実施形態における２フィンガークリック操作を示す図である。
【図８】第２実施形態におけるフローチャートを示す図である。
【発明を実施するための形態】
【００１３】
以下に第１実施形態におけるボタン兼用型タッチパッド入力装置について説明する。
【００１４】
図１は、第１実施形態のボタン兼用型タッチパッド入力装置の断面図である。本実施形態におけるボタン兼用型タッチパッド入力装置は、図１に示すように、筐体１を備え、筐体１の開口部６に操作板４が配設されている。操作板４は支持板３および支持板３の上に取り付けられたセンサ基板２（検出手段）を有している。センサ基板２の上には不図示の表面シートが取り付けられる。操作者は表面シートの上側に指を置き、押圧操作およびスライド操作を行なう。
【００１５】
支持板３の後方側（紙面上右側）の下側にはゴム部材１０が取り付けられ、これにより操作板４は揺動可能に筐体１に支持される。支持板３の前方側（紙面上左側）の下側にはタクティールスイッチ５（スイッチ手段）が取り付けられている。タクティールスイッチ５は、操作板４の押圧操作に伴って筐体１に設けられたスイッチ駆動部に当接する。これにより、操作板４の押下操作が検出される。
【００１６】
支持板３の下側には圧縮バネ１１が設けられ、操作板４は圧縮バネ１１により上方に付勢されている。操作板４の端縁部は筐体１に設けられたストッパー部１３に当接しており、操作板４は上方への移動が規制されている。ゴム部材１０、圧縮バネ１１、ストッパー部１３等が操作板４を揺動可能に支持する支持手段を構成している。
【００１７】
図２は、第１実施形態のボタン兼用型タッチパッド入力装置のシステムブロック図である。センサ基板２にはＸ電極１４およびＹ電極１５が敷設されており、指の近接操作に応じた検出信号を発生する。制御手段１６は、Ｘ電極１４とＹ電極１５の一方を駆動電極とし他方を検出電極とするように駆動制御を行い、検出信号に基づいて指の近接を検知するとともに指の近接位置を算出する。
【００１８】
制御手段１６にはタクティールスイッチ５が接続されており、制御手段１６はタクティールスイッチ５のオンオフに基づき操作板４の押下操作を検知する。
【００１９】
図３は、第１実施形態における左右同時押し操作を示す図である。操作者は、例えば人差指と中指を操作板４にタッチさせた状態で操作板４の押下操作を行なう。
【００２０】
図４は、第１実施形態におけるレストフィンガー操作を示す図である。操作者は、例えば親指と人差指を操作板４にタッチさせた状態で操作板４の押下操作を行なう。親指は、手の支えとして休ませた指である。
【００２１】
図５は、第１実施形態におけるフローチャートを示す図である。このフローチャートを用いて、第１実施形態における制御手段１６の動作を説明する。制御手段１６はステップＳ１において、割込処理を開始する。ステップＳ２において、１本目、又は２本目の指を検出したかどうか判断する。指を検出したらステップＳ３に進み、最初の検出かどうか判断し、最初の検出と判断したらステップＳ４に進み、検出した時の時間を保存する。１本目の指であればｔｉｍｅ（１）の値にその時間を代入し、２本目の指であればｔｉｍｅ（２）の値にその時間を代入する。その後、ステップＳ６に進む。
【００２２】
ステップＳ２において、指を検出しなければステップＳ５に進み、ｔｉｍｅ（１）およびｔｉｍｅ（２）の値に０を代入し、検出した時の時間をゼロクリアする。
【００２３】
ステップＳ３において、最初の検出でないと判断したらステップＳ４に進まずにステップＳ６に進む。なお、ここでいう最初の検出というのは、指をタッチしていない状態からタッチした状態に変化したときの検出を意味するものであり、最初の検出でない検出というのは、タッチを続けているときの検出を意味するものである。
【００２４】
ステップＳ６において、スイッチ操作を検出したかどうかを判断する。スイッチ操作を検出したら、ステップＳ７に進み、１本目と２本目の指検出時間の差（ｔｉｍｅ（２）−ｔｉｍｅ（１））を計算する。その後、ステップＳ８に進みｔｉｍｅ（２）−ｔｉｍｅ（１）が所定の閾値より大きいかどうか判断する。所定の閾値より大きければ、１本目の指は手の支えとして休ませた指であってレストフィンガー操作であると判断し、ステップＳ９に進み、イベントＡ（第１イベント）を実行する。イベントＡは、レストフィンガー操作に割り当てられたイベントである。その後、ステップＳ１１に進んで割込処理を終了する。そして割込処理終了後はまたステップＳ１に戻って割込処理を繰り返す。ここでは、イベントＡは、指が１つしか検出されていないときに押圧操作したときのイベントと同じであり、一本目の指は存在しないものとして扱われている。
【００２５】
ステップＳ８において、１本目と２本目の指検出時間の差（ｔｉｍｅ（２）−ｔｉｍｅ（１））が所定の閾値以下であれば、左右同時押し操作であると判断し、ステップＳ１０に進み、イベントＢ（第２イベント）を実行する。イベントＢは、左右同時押し操作に割り当てられたイベントである。イベントＢを実行後は、ステップＳ１１に進み、割込処理を終了する。
【００２６】
ステップＳ６において、スイッチ操作を検出していなければ、そのままステップＳ１１に進み、割込処理を終了する。
【００２７】
操作者がレストフィンガー操作を行なう際には、１本目の指を置く時間と２本目の指を置く時間には大きな差があり、操作者が左右同時押し操作を行なう際には、１本目の指を置く時間と２本目の指を置く時間には大きな差がないことが経験的に分かっている。そこで、第１実施形態のボタン兼用型タッチパッド入力装置においては、１本目の指の近接操作を検出してから２本目以降の指の近接操作を検出するまでの時間（ｔｉｍｅ（２）−ｔｉｍｅ（１））が所定時間を越えているときに押下操作を検出したらレストフィンガー操作に割り当てられたイベントＡを実行し、１本目の指の近接操作を検出してから２本目以降の指の近接操作を検出するまでの時間（ｔｉｍｅ（２）−ｔｉｍｅ（１））が所定時間内であるときに押下操作を検出したら左右同時押し操作に割り当てられたイベントＢを実行するようにした。これにより、レストフィンガー操作と左右同時押し操作を区別することができ、レストフィンガー機能と左右同時押し機能の両方を搭載することができるようになった。
【００２８】
第１実施形態においては、１本目の指検出時間と２本目の指検出時間の差に基づき左右同時押し操作とレストフィンガー操作の区別を行なうようにした。しかし、これに限られるものではなく、例えば１本目の指検出時間と３本目の指検出時間の差に基づいて区別を行なうようにしてもよく、色々な応用が考えられる。
【００２９】
なお、第１実施形態は、後述する第２実施形態のように指を置いた位置により操作の区別を行なわないものとした。
【００３０】
次に、第２実施形態におけるボタン兼用型タッチパッド入力装置について説明する。
【００３１】
図６は、第２実施形態における左右同時押し操作を示す図である。操作板４は、主領域２０と左下領域２１と右下領域２２に分かれている。操作者は、例えば人差指を左下領域２１にタッチさせるとともに中指を右下領域２２にタッチさせた状態で操作板４の押下操作を行なう。なお、第１実施形態においては、一方の指と他方の指をタッチさせた状態での押下操作を、一方の指と他方の指のタッチさせた場所に関わらず「左右同時押し操作」とみなすようにした。これに対して、第２実施形態においては、一方の指を一の所定領域にタッチさせ、他方の指を他の所定領域にタッチさせた状態での押下操作を「左右同時押し操作」と定義することにする。
【００３２】
図７は、第２実施形態における２フィンガークリック操作を示す図である。操作者は、例えば人差指と中指を主領域２０にタッチさせた状態で操作板４の押下操作を行なう。なお、第２実施形態における２フィンガークリック機能とは、一方の指を一の所定領域にタッチさせ、他方の指を他の所定領域にタッチさせたという条件を満たさない状態で押下操作を行なったときは、前段落で定義した左右同時押し操作とは異なるイベントを実行する機能のことを意味するものとする。
【００３３】
図８は、第２実施形態におけるフローチャートを示す図である。このフローチャートを用いて、第２実施形態における制御手段１６の動作を説明する。第１実施形態と同じステップとなるところは同一符号を付し、説明を省略することにする。
【００３４】
ステップＳ６において、スイッチ操作を検出したら、ステップＳ２０に進み、１本目の指が左下領域２１内で、かつ２本目の指が右下領域２２内かどうか判断する。この条件を満たすとき、ステップＳ７、ステップＳ８に進み、１本目と２本目の指検出時間の差が所定の閾値以下であれば、左右同時押し操作であると判断し、ステップＳ１０に進んで左右同時押し操作に割り当てられたイベントＢを実行する。
【００３５】
ステップＳ２０において、１本目の指が左下領域２１内で、かつ２本目の指が右下領域２２内であるという条件を満たさないとき、２フィンガークリック操作であると判断し、ステップＳ２１に進んでイベントＣ（第３イベント）を実行する。１本目の指も２本目の指も主領域２０内に位置するときや、１本目の指も２本目の指も左下領域２１内に位置するときは、この上記条件を満たさないことになる。イベントＣは、２フィンガークリック操作に割り当てられたイベントである。
【００３６】
第２実施形態においては、１本目の指が操作板４の左下領域２１（一の所定領域）に位置し２本目以降の指が操作板４の右下領域２２（他の所定領域）に位置するという条件を満たすときに押下操作を検出したら左右同時押し操作に割り当てられたイベントＢ（第２イベント）を実行し、その条件を満たさないときに押下操作を検出したら２フィンガークリック操作に割り当てられたイベントＣ（第３イベント）を実行するようにした。これによれば、左右同時押し操作と２フィンガークリック操作を区別することができ、左右同時押し機能と２フィンガークリック機能との両方を搭載することができる。なお、左下領域２１を一の所定領域とし、右下領域２２を他の所定領域としたが、これに限られるものでなく、逆であってもよい。
【符号の説明】
【００３７】
１    筐体
２    センサ基板（検出手段）
３    支持板
４    操作板
５    タクティールスイッチ（スイッチ手段）
１０  ゴム部材      
１１  圧縮バネ
１２  スイッチ駆動部
１３  ストッパー部
１４  Ｘ電極
１５  Ｙ電極
１６  制御手段
２０  主領域
２１  左下領域
２２  右下領域
【図１】
2015011610.tif 000003
【図２】
2015011610.tif 000004
【図３】
2015011610.tif 000005
【図４】
2015011610.tif 000006
【図５】
2015011610.tif 000007
【図６】
2015011610.tif 000008
【図７】
2015011610.tif 000009
【図８】
2015011610.tif 000010